(57)【要約】【課題】いたずら等により何者かが表示装置にぶら下がっても表示装置が破壊されたり、落下したりすることを防止できる吊下器具を提供すること。【解決手段】吊下器具は、板状の表示装置を天井から吊下げて固定するための吊下器具であって、吊下器具は天井に装着されるポールと、ポールに装着され表示装置を固定するためのブラケットと、ポールおよびブラケットのいずれか一方に固定され表示装置の上縁を防護する庇部材とからなり、庇部材は重力方向の荷重を受けた際に表示装置の上縁に当接することを防止し得るような間隙を空けて表示装置の上縁を覆う。【選択図】図２
2007241099.tif 000002
【特許請求の範囲】
【請求項１】
板状の表示装置を天井から吊下げて固定するための吊下器具であって、吊下器具は天井に装着されるポールと、ポールに装着され表示装置を固定するためのブラケットと、ポールおよびブラケットのいずれか一方に固定され表示装置の上縁を防護する庇部材とからなり、庇部材は重力方向の荷重を受けた際に表示装置の上縁に当接することを防止し得るような間隙を空けて表示装置の上縁を覆うことを特徴とする吊下器具。
【請求項２】
庇部材はブラケットに固定され、ブラケットは表示装置の下縁に沿った方向でポールに軸支され、ブラケットの前記軸支箇所は前記表示装置の下縁近傍に位置することを特徴とする請求項１に記載の吊下器具。
【請求項３】
庇部材は円筒をその長手方向に沿って分割した半円筒状の形状を有することを特徴とする請求項１又は２に記載の吊下器具。
【請求項４】
板状の表示装置と、表示装置を天井から吊下げて固定する吊下部材とを備え、吊下部材は表示装置の上縁を防護する庇部材を有し、庇部材は重力方向の荷重を受けた際に表示装置の上縁に当接することを防止し得るような間隙を空けて表示装置の上縁を覆うことを特徴とする吊下型表示装置。
【請求項５】
板状の表示装置と、表示装置を天井から吊下げて固定する吊下部材とを備え、吊下部材は表示装置の下縁近傍を下縁に沿った方向に軸支し、所定値以上の重力方向の荷重を表示装置の上縁側から受けた際に表示装置が前記軸支箇所を支点に軸回転することを許容することを特徴とする吊下型表示装置。
【請求項６】
表示装置は、表示パネルと、表示パネルの表示面側の周縁、側縁および裏面を覆う筐体とを備え、筐体は表示パネルの裏面の少なくとも一部を覆い電磁波が外部へ伝搬することを抑える金属製のシールド板と、シールド板に対して分離可能に設けられ表示パネルの裏面の一部、側縁および表示面側の周縁の少なくとも一部を覆う一体成形された分割片とから構成されることを特徴とする請求項４又は５に記載の吊下型表示装置。
【発明の詳細な説明】
【技術分野】
【０００１】
この発明は、吊下器具および吊下型表示装置に関し、詳しくは、いたずら等によって何者かが表示装置にぶら下がった際に表示装置の破壊や落下を効果的に防止し得る吊下器具と吊下型表示装置に関する。
【背景技術】
【０００２】
この発明に関連する従来技術としては、次のようなものが知られている。
（１）天井から吊り下げられた表示装置から延びるケーブル類をカバーで覆うことにより、天井から吊り下げられた表示装置の背面側の意匠性を改善した表示装置の取付装置（例えば、特許文献１参照）。
（２）天井に設けられたレールに沿ってスライダを備えた吊下部材を滑走させることにより、表示装置のスムーズな移動を可能とした表示装置の吊下装置（例えば、特許文献２参照）。
（３）天井に取付けられる吊下部材に表示装置の傾斜角を調整するチルト部を設けることにより、天井への取付けと角度調整の容易化を図った表示装置の据付装置（例えば、特許文献３参照）。
（４）表示装置固定部および表示装置の総体の重心と、天井から吊るされた吊り支点とを結ぶ直線を鉛直線と一致させることにより、天井への負荷の軽減を図った表示装置用取付装置（例えば、特許文献４参照）。
（５）表示装置を天井から吊るすワイヤの表示装置に対する固定位置を可変とすることにより、天井への取付けと角度調整の容易化を図った表示装置の取付装置（例えば、特許文献５参照）。
【特許文献１】特開平１０−２９３５４３号公報
【特許文献２】特開２００２−３２０３３号公報
【特許文献３】特開２００１−１４７６４６号公報
【特許文献４】特開２００４−２４００１７号公報
【特許文献５】特開２００２−６７７１号公報
【発明の開示】
【発明が解決しようとする課題】
【０００３】
近年、液晶ディスプレイやプラズマディスプレイ等の表示装置は、駅や空港などの公共交通機関、各種娯楽施設などで天井から吊り下げて使用される機会が増えている。
しかし、このような公共の場での使用は、表示装置に対するいたずらが発生する可能性もある。
具体的には、表示装置に対して何者かがぶら下がり、過剰な荷重が表示装置に加わることにより、表示装置が破壊されたり、最悪の場合には表示装置が天井から落下するなどの状況が考えられる。
もちろん、最も好ましいのは誰も吊り下げられた表示装置にぶら下がろうなどとしないことであるが、何者かが吊り下げられた表示装置にぶら下がる可能性が皆無であるとは言えない。
【０００４】
この発明は以上のような事情を考慮してなされたものであり、何者かが表示装置にぶら下がっても表示装置が破壊されたり、落下したりすることを防止できる吊下器具と吊下型表示装置を提供するものである。
【課題を解決するための手段】
【０００５】
この発明は、板状の表示装置を天井から吊下げて固定するための吊下器具であって、吊下器具は天井に装着されるポールと、ポールに装着され表示装置を固定するためのブラケットと、ポールおよびブラケットのいずれか一方に固定され表示装置の上縁を防護する庇部材とからなり、庇部材は重力方向の荷重を受けた際に表示装置の上縁に当接することを防止し得るような間隙を空けて表示装置の上縁を覆うことを特徴とする吊下器具を提供するものである。
【０００６】
また、この発明は別の観点からみると、板状の表示装置と、表示装置を天井から吊下げて固定する吊下部材とを備え、吊下部材は表示装置の上縁を防護する庇部材を有し、庇部材は重力方向の荷重を受けた際に表示装置の上縁に当接することを防止し得るような間隙を空けて表示装置の上縁を覆うことを特徴とする第１の吊下型表示装置を提供するものでもある。
【０００７】
また、この発明は更に別の観点からみると、板状の表示装置と、表示装置を天井から吊下げて固定する吊下部材とを備え、吊下部材は表示装置の下縁近傍を下縁に沿った方向に軸支し、所定値以上の重力方向の荷重を表示装置の上縁側から受けた際に表示装置が前記軸支箇所を支点に軸回転することを許容することを特徴とする第２の吊下型表示装置を提供するものでもある。
【発明の効果】
【０００８】
この発明の吊下器具によれば、ポールおよびブラケットのいずれか一方に固定された庇部材が、重力方向の荷重を受けた際に板状の表示装置の上縁に当接することを防止し得るような間隙を空けて表示装置の上縁を覆うので、何者かが表示装置にぶら下がろうとしても、表示装置に直接ぶら下がることは不可能になる。
そして、仮に何者かが庇部材にぶら下がったとしても、ぶら下がった者の体重は庇部材に加わり、表示装置には加わらないので、表示装置の破壊を防止できる。
【０００９】
この発明の第１の吊下型表示装置によれば、吊下部材に設けられた庇部材が、重力方向の荷重を受けた際に板状の表示装置の上縁に当接することを防止し得るような間隙を空けて表示装置の上縁を覆うので、何者かが表示装置にぶら下がろうとしても、表示装置に直接ぶら下がることは不可能になる。
そして、仮に何者かが庇部材にぶら下がったとしても、ぶら下がった者の体重は庇部材に加わり、表示装置には加わらないので、表示装置の破壊を防止できる。
【００１０】
この発明の第２の吊下型表示装置によれば、吊下部材が板状の表示装置の下縁近傍を下縁に沿った方向に軸支するので、表示装置は所定値以上の重力方向の荷重を表示装置の上縁側から受けた際に、てこの原理により軸支箇所を支点に容易に軸回転する。
このため、何者かが表示装置にぶら下がった場合には、表示装置が軸支箇所を支点に軸回転することにより、ぶら下がった者の体重を逃がすことができ、表示装置の破壊のみならず、表示装置の落下を防止できる。
【発明を実施するための最良の形態】
【００１１】
この発明による吊下器具は、板状の表示装置を天井から吊下げて固定するための吊下器具であって、吊下器具は天井に装着されるポールと、ポールに装着され表示装置を固定するためのブラケットと、ポールおよびブラケットのいずれか一方に固定され表示装置の上縁を防護する庇部材とからなり、庇部材は重力方向の荷重を受けた際に表示装置の上縁に当接することを防止し得るような間隙を空けて表示装置の上縁を覆うことを特徴とする。
【００１２】
この発明による第１の吊下型表示装置は、板状の表示装置と、表示装置を天井から吊下げて固定する吊下部材とを備え、吊下部材は表示装置の上縁を防護する庇部材を有し、庇部材は重力方向の荷重を受けた際に表示装置の上縁に当接することを防止し得るような間隙を空けて表示装置の上縁を覆うことを特徴とする。
【００１３】
この発明による第２の吊下型表示装置は、板状の表示装置と、表示装置を天井から吊下げて固定する吊下部材とを備え、吊下部材は表示装置の下縁近傍を下縁に沿った方向に軸支し、所定値以上の重力方向の荷重を表示装置の上縁側から受けた際に表示装置が前記軸支箇所を支点に軸回転することを許容することを特徴とする。
【００１４】
この発明による上記の吊下器具、並びに、第１および第２の吊下型表示装置において、表示装置とは、映像や画像を表示するものを意味し、例えば、液晶ディスプレイやプラズマディスプレイなどを挙げることができる。
また、天井とは、吊下器具又は吊下部材が取付けられる吊下げ先を意味する。したがって、必ずしも密閉型構造物の天井のみを意味するものではなく、空港、駅、バス停などの屋外における開放型構造物の天井も含まれる。また、天井は必ずしも平面状のものでなくてもよく、ポールなどの湾曲したものであってもよい。
【００１５】
この発明による上記の吊下器具において、庇部材はブラケットに固定され、ブラケットは表示装置の下縁に沿った方向でポールに軸支され、ブラケットの前記軸支箇所は前記表示装置の下縁近傍に位置していてもよい。
このような構成によれば、表示装置を固定し表示装置の上縁を覆う庇部材を有するブラケットが、表示装置の下縁近傍で表示装置の下縁に沿った方向でポールに軸支されるので、庇部材に所定値以上の重力方向の荷重が加わると、ブラケットはてこの原理によりブラケットの軸支箇所を支点に容易に軸回転する。
このため、何者かが庇部材にぶら下がった場合には、ブラケットが軸支箇所を支点に軸回転することにより、ぶら下がった者の体重を逃がすことができ、表示装置の破壊のみならず、表示装置の落下を防止できる。
【００１６】
この発明による上記の吊下器具において、庇部材は円筒をその長手方向に沿って分割した半円筒状の形状を有することが好ましい。
というのは、庇部材が半円筒状であれば、何者かが庇部材につかまろうとしても、手と庇部材との間で摩擦力が発生し難く、ぶら下がること自体が困難になるからである。
【００１７】
また、この発明による上記の第１および第２の吊下型表示装置において、表示装置は、表示パネルと、表示パネルの表示面側の周縁、側縁および裏面を覆う筐体とを備え、筐体は表示パネルの裏面の少なくとも一部を覆い電磁波が外部へ伝搬することを抑える金属製のシールド板と、シールド板に対して分離可能に設けられ表示パネルの裏面の一部、側縁および表示面側の周縁の少なくとも一部を覆う一体成形された分割片とから構成されてもよい。
このような構成によれば、筐体がシールド板と、一体成形された分割片とから構成されるため、筐体全体を一体成形していた従来のものよりも金型等に係るコストを抑えることができるだけでなく、表示装置の表示面側のデザイン変更も少ないコストで行い易くなる。
また、筐体の一部が金属製のシールド板で構成されるので、表示装置の放熱性が良好なものとなる。
さらに、分割片がシールド板から分離可能に設けられるので、分割片をシールド板から取り外すことにより表示パネルの一部を露出させることができ、表示装置を吊り下げたままでメンテナンス等を行い易くなる。
【００１８】
この発明は、別の観点からみると、表示パネルと、表示パネルの表示面側の周縁、側縁および裏面を覆う筐体とを備え、筐体は表示パネルの裏面の少なくとも一部を覆い電磁波が外部へ伝搬することを抑える金属製のシールド板と、シールド板に対して分離可能に設けられ表示パネルの裏面の一部、側縁および表示面側の周縁の少なくとも一部を覆う一体成形された分割片とから構成されることを特徴とする表示装置を提供するものでもある。
【００１９】
以下、図面に示す実施例に基づいてこの発明を詳細に説明する。
【実施例】
【００２０】
実施例１
図１〜６に基づいて、この発明の実施例１による吊下型表示装置について説明する。図１は実施例１による吊下型表示装置を表示面側からみた斜視図、図２は図１に示される吊下型表示装置を背面側からみた斜視図、図３は図１および図２に示される吊下型表示装置の分解構成図、図４は天吊ブラケットが軸支箇所を支点に軸回転した状態を示す斜視図、図５は表示装置の分解構成図、図６は表示装置から分割パネルが取り外された状態を示す斜視図である。
【００２１】
図１および図２に示されるように、この発明の実施例１による吊下型表示装置１００は、上縁１ａ、下縁１ｂおよび背面１ｃを有する板状の表示装置（液晶ディスプレイ）１と、表示装置１の背面１ｃ側に固定され表示装置１の上縁１ａを天井に向けて吊下げ固定する吊下部材（吊下器具）２とを備え、吊下部材２は表示装置１を防護するための庇部材３を有し、庇部材３は重力方向の荷重を受けた際に表示装置１の上縁１ａに当接することを防止し得るような間隙を空けて表示装置１の上縁１ａを覆っている。
また、吊下部材２は表示装置１の背面１ｃ側の下縁１ｂ近傍を下縁１ｂに沿った方向に軸支し、所定値以上の重力方向の荷重を表示装置１の上縁１ａ側から受けた際に表示装置１が前記軸支箇所を支点に軸回転することを許容するように構成されている。
【００２２】
以下、より詳細に吊下型表示装置１００の構造について説明する。
図２および図３に示されるように、吊下部材２は、上端に天井に装着されるフランジ部４ａが設けられた円筒状のポール４と、ポール４の下端に壁掛け対応ブラケット５と共に軸支される天吊ブラケット６とから主に構成されている。
【００２３】
図３に示されるように、ポール４の下端と天吊ブラケット６の下方には軸支孔４ｂ，６ａがそれぞれ形成され、これら軸支孔４ｂ，６ａにボルト７およびカラー８が挿通されナット９で固定されることにより、天吊ブラケット６はポール４に対して軸支孔６ａを支点に軸回転できるように装着される。
ポール４と天吊ブラケット６の軸支孔４ｂ，６ａの上方には天吊ブラケット６の傾斜角を決定するための位置決め孔４ｃと弧状に切り欠かれた角度調整孔６ｂがそれぞれ形成され、角度調整孔６ｂおよび位置決め孔４ｃを介してボルト７およびカラー８が挿通されナット９で固定されることにより天吊ブラケット６はポール４に対して任意の角度で固定される。
また、天吊ブラケット６には表示装置１を固定するためのフランジ部６ｃが左右対称に形成され、このフランジ部６ｃは表示装置１の背面１ｃ側に配された金属製のシールド板１３にねじ止めにより固定される。
【００２４】
図２に示されるように、表示装置１が天吊ブラケット６に取付けられた状態で、ポール４と天吊ブラケット６の軸支箇所は、表示装置１の下縁１ｂ近傍に位置する。
このため、ポール４に対して任意の角度で固定された天吊ブラケット６は、表示装置１の上縁１ａ側から重力方向に荷重が加わると、てこの原理により比較的容易に軸回転し、前記荷重を逃がすことができる。
【００２５】
また、図３に示されるように、天吊ブラケット６の左右のフランジ部６ｃの間にはポール４側に向かって突き出し表示装置１の背面１ｃとは接触しない突状部６ｄが形成され、この突状部６ｄの上端に半円筒状の庇部材３がねじ止めにより固定されている。
図２に示されるように、庇部材３が天吊ブラケット６の突状部６ｄ（図３参照）の上端に取付けられた状態で、半円筒状の庇部材３は、重力方向の荷重を受けた際に該荷重を吸収し得るような間隙を空けて表示装置１の上縁１ａを覆っている。
このため、仮に何者かが吊下型表示装置１００にぶら下がろうとしても、直接表示装置１にぶら下がることはできず、庇部材３にぶら下がることとなる。
【００２６】
また、庇部材３は上述のとおり半円筒状であるため、何者かがぶら下がろうとしても手と庇部材３との間で摩擦力が生じ難く、つかまること自体が困難である。
それでも何者かが庇部材３にぶら下がった場合、その者の体重は庇部材３および天吊ブラケット６を介して天井に装着されたポール４に作用するが、庇部材３と表示装置１の上縁１ａとの間に介在する間隙により表示装置１には作用しない。
また、上述のとおり、ポール４と天吊ブラケット６の軸支箇所が表示装置１の下縁１ｂ近傍に位置するため、天吊ブラケット６は、表示装置１の上縁１ａ側から重力方向に向かって荷重が加わった際にポール４に対して軸回転し易い。
このため、図４に示されるように、何者かが庇部材３にぶら下がった場合には天吊ブラケット６が軸支箇所を支点に軸回転し、ぶら下がった者の体重がポール４に直接作用することを防止する。
すなわち、天吊ブラケット６がその可動範囲で軸回転する間、ぶら下がった者の体重を逃がすことができるのである。
【００２７】
一方、図５に示されるように、表示装置１は、表示面１０ａおよび裏面１０ｂを有する液晶パネル（表示パネル）１０、各種の基板１２を搭載し液晶パネル１０の裏面１０ｂに取付けられるフレーム１１、フレーム１１を覆い基板１２に搭載された電子部品（図示せず）から発生する電磁波が外部へ伝搬することを防止する金属製のシールド板１３、シールド板１３に対して左右方向に分離可能に設けられ液晶パネル１０の裏面１０ｂの一部、側縁および表示面１０ａ側の一部を覆う一体成形された樹脂製の分割パネル（分割片）１４，１５、液晶パネル１０の上縁および下縁をそれぞれ覆う上部パネル１６および下部パネル１７とから主に構成されている。
つまり、表示装置１の筐体は、シールド板１３、分割パネル１４，１５、上部パネル１６および下部パネル１７とから構成されている。
このため、筐体全体を一体成形していた従来のものよりも、金型等に係るコストが抑えられ、さらには表示装置１の表示面１０ａ側のデザイン変更にも少ない投資で対応できる。
また、金属製のシールド板１３が直接外気に触れることとなり、放熱性の向上も図られている。
【００２８】
さらに、シールド板１３に対して左右方向に分離可能な分割パネル１４，１５には多数の通気孔１８が形成され、分割パネル１４，１５の内部には小型の吸気ファン（図示せず）と通気孔１４ａ，１５ａを覆う着脱式のフィルター（図示せず）が設けられている。
このため、表示装置１は外気を塵芥を取り除きつつ内部に能動的に取り込むことができ、さらなる放熱性の向上が図られている。
【００２９】
実施例１の吊下型表示装置１００が上述のように、積極的な放熱性の向上と防塵を図っているのは、吊下型表示装置１００が駅、バス停、人の移動が多い屋内空間など塵芥の舞い易い公共の場で長時間にわたって使用されることを考慮しているためある。
そして、図６に示されるように、分割パネル１４，１５はシールド板１３から容易に分離できるため、表示装置１を吊下げた状態のまま、分割パネル１４，１５を外してフィルターに溜まった塵芥の清掃を行うことができる。
また、分割パネル１４，１５をシールド板１３から取り外すことにより液晶パネル１０の裏面１０ｂに配されたカラー・輝度・コントラストなどの調整スイッチ、調整ボリューム（図示せず）を露出させることができ、表示装置１を吊り下げたままでこれらの調整を行うこともできる。
【００３０】
なお、通常の表示装置において、カラー・輝度・コントラストなどの調整スイッチ、調整ボリュームなどは、表示装置の表示面側に露出して配されているが、実施例１による吊下型表示装置１００に採用される表示装置１は、公共の場での使用を想定しているため、いたずら等により勝手に上記の調整スイッチ、調整ボリュームが操作されることのないよう、敢えて調整スイッチ、調整ボリュームが分割パネル１４，１５により覆われた液晶パネル１０の裏面１０ｂ側に配されている。
【００３１】
このような配慮により、実施例１の吊下型表示装置１００は、塵芥の舞い易いなかで長時間使用されるような苛酷な使用環境でも長期間にわたって性能を維持することができ、さらには上述のとおり、何者かにぶら下がるようないたずらを受けても表示装置１の破壊や落下を防止でき、ぶら下がった者が怪我することも防止できる。
【００３２】
実施例２
この発明の実施例２による吊下型表示装置について図７に基づいて説明する。図７は実施例２による吊下型表示装置を背面側からみた斜視図である。
図７に示されるように、実施例２による吊下型表示装置２００は、ポール２４に庇部材２３が溶接により一体に装着されている。
このため、実施例１による吊下型表示装置１００よりも構造の簡略化が図られており、吊下部材２２の製造に係るコストが抑えられている。
その他の構成は、実施例１による吊下型表示装置１００と同様であるが、庇部材２３がポール２４に装着されているため、何者かが庇部材２３にぶら下がっても表示装置１が天吊ブラケット６の軸支箇所を支点に軸回転する効果は得られない。
【図面の簡単な説明】
【００３３】
【図１】この発明の実施例１による吊下型表示装置を表示面側からみた斜視図である。
【図２】図１に示される吊下型表示装置を背面側からみた斜視図である。
【図３】図１および図２に示される吊下型表示装置の分解構成図である。
【図４】天吊ブラケットが軸支箇所を支点に軸回転した状態を示す斜視図である。
【図５】表示装置の分解構成図である。
【図６】表示装置から分割パネルが取り外された状態を示す斜視図である。
【図７】この発明の実施例２による吊下型表示装置を背面側からみた斜視図である。
【符号の説明】
【００３４】
１・・・表示装置
１ａ・・・上縁
１ｂ・・・下縁
１ｃ・・・背面
２，２２・・・吊下部材（吊下器具）
３，２３・・・庇部材
４，２４・・・ポール
４ａ，６ｃ・・・フランジ部
４ｂ，６ａ・・・軸支孔
４ｃ・・・位置決め孔
５・・・壁掛け対応ブラケット
６・・・天吊ブラケット
６ｂ・・・角度調整孔
７・・・ボルト
８・・・カラー
９・・・ナット
１０・・・液晶パネル
１０ａ・・・表示面
１０ｂ・・・裏面
１１・・・フレーム
１２・・・基板
１３・・・シールド板
１４，１５・・・分割パネル
１６・・・上部パネル
１７・・・下部パネル
１８・・・通気孔
１００，２００・・・吊下型表示装置
【図１】
2007241099.tif 000003
【図２】
2007241099.tif 000004
【図３】
2007241099.tif 000005
【図４】
2007241099.tif 000006
【図５】
2007241099.tif 000007
【図６】
2007241099.tif 000008
【図７】
2007241099.tif 000009